【手続補正書】
【提出日】平成20年9月5日(2008.9.5)
【手続補正１】
【補正対象書類名】明細書
【補正対象項目名】発明の名称
【補正方法】変更
【補正の内容】
【発明の名称】記録再生装置、状態検出方法、情報処理装置、情報処理方法、および記録媒体
【手続補正２】
【補正対象書類名】明細書
【補正対象項目名】特許請求の範囲
【補正方法】変更
【補正の内容】
【特許請求の範囲】
【請求項１】
所定の情報記録媒体に情報を記録し、かつ、前記情報記録媒体から前記情報を再生する記録再生装置において、
第１のデータを測定する測定手段と、
異常状態であるか否かを判断するための第２のデータを記憶する第１の記憶手段と、
前記第１のデータおよび前記第２のデータから、自分自身の保守に関する第３のデータを生成する生成手段と、
前記第３のデータを出力する出力手段と
を備える記録再生装置。
【請求項２】
前記第１のデータは、レーザダイオードの順電流値を含み、
前記第２のデータは、前記レーザダイオードの初期順電流値、および、前記順電流値が前記初期順電流値の何倍であるときに前記レーザダイオードの寿命となるかを示すデータを含み、
前記生成手段は、前記第１のデータおよび前記第２のデータから、前記レーザダイオードの寿命に関する前記第３のデータを生成する
請求項１に記載の記録再生装置。
【請求項３】
前記第１のデータは、レーザダイオードのレーザ光出射時間の累積値を含み、
前記第２のデータは、前記レーザダイオードの平均故障時間を含み、
前記測定手段は、前記レーザダイオードの動作モードに基づいて、前記レーザダイオードの前記レーザ光出射時間の累積値を測定し、
前記生成手段は、前記第１のデータと前記第２のデータとを比較して、前記レーザダイオードの寿命に関する前記第３のデータを生成する
請求項１に記載の記録再生装置。
【請求項４】
所定の温度における温度センサの出力値を記憶する第２の記憶手段を更に備え、
前記第１のデータは、温度データを含み、
前記測定手段は、前記第２の記憶手段に記憶されている前記所定の温度における前記温度センサの出力値と、現在の前記温度センサの出力値とを比較することにより、温度を測定する
請求項１に記載の記録再生装置。
【請求項５】
所定の電源電圧における電源電圧センサの出力値を記憶する第２の記憶手段を更に備え、
前記第１のデータは、電源電圧データを含み、
前記測定手段は、前記第２の記憶手段に記憶されている前記所定の電源電圧における前記電源電圧センサの出力値と、現在の前記電源電圧センサの出力値とを比較することにより、電源電圧を測定する
請求項１に記載の記録再生装置。
【請求項６】
所定の情報記録媒体に情報を記録し、かつ、前記情報記録媒体から前記情報を再生する記録再生装置の状態検出方法において、
第１のデータを測定する測定ステップと、
異常状態であるか否かを判断するための第２のデータを記憶する記憶ステップと、
前記第１のデータおよび前記第２のデータから、自分自身の保守に関する第３のデータを生成する生成ステップと、
前記第３のデータを出力する出力ステップと
を含む状態検出方法。
【請求項７】
所定の情報記録媒体に情報を記録し、かつ、前記情報記録媒体から前記情報を再生する記録再生装置のコンピュータに処理を実行させるプログラムであって、
第１のデータを測定する測定ステップと、
異常状態であるか否かを判断するための第２のデータを記憶する記憶ステップと、
前記第１のデータおよび前記第２のデータから、自分自身の保守に関する第３のデータを生成する生成ステップと、
前記第３のデータを出力する出力ステップと
を含む処理を前記記録再生装置のコンピュータに実行させる、コンピュータ読み取り可能なプログラムが記録されている記録媒体。
【請求項８】
記録再生装置と接続される情報処理装置において、
前記記録再生装置の状態に関連する第１のデータを取得する取得手段と、
前記第１のデータから、前記記録再生装置の保守に関する第２のデータを生成する生成手段と、
前記第２のデータを出力する出力手段と
を備える情報処理装置。
【請求項９】
前記第１のデータは、レーザダイオード初期順電流値、レーザ順電流値が前記初期順電流値の何倍であるときに前記レーザダイオードの寿命となるかを示す第３のデータ、並びに前記レーザダイオードの現在の順電流値を求めるためのデータを含み、
前記生成手段は、前記取得手段により取得された前記初期順電流値、前記第３のデータ、および、前記レーザダイオードの現在の順電流値から、前記レーザダイオードの寿命に関する前記第２のデータを生成する
請求項８に記載の情報処理装置。
【請求項１０】
前記第１のデータは、レーザダイオードの平均故障時間およびレーザ光出射時間の累積値を含み、
前記生成手段は、前記取得手段により取得された前記平均故障時間と前記レーザ光出射時間の累積値とを比較して、前記レーザダイオードの寿命に関する前記第３のデータを生成する
請求項８に記載の情報処理装置。
【請求項１１】
前記第１のデータは、前記記録再生装置の温度センサの出力値を示す第３のデータ、および、所定の温度における前記温度センサの出力値を示す第４のデータを含み、
前記生成手段は、前記第３のデータおよび前記第４のデータから、前記記録再生装置の温度データを算出して、前記記録再生装置の内部の温度に関する第２のデータを生成する
請求項８に記載の情報処理装置。
【請求項１２】
前記第１のデータは、前記記録再生装置の電源電圧センサの出力値を示す第３のデータ、および、所定の電源電圧における前記電源電圧センサの出力値を示す第４のデータを含み、
前記生成手段は、前記第３のデータおよび前記第４のデータから、前記記録再生装置の電源電圧データを算出して、前記記録再生装置の電源電圧に関する第２のデータを生成する
請求項８に記載の情報処理装置。
【請求項１３】
記録再生装置と接続される情報処理装置の情報処理方法において、
前記記録再生装置の状態に関連する第１のデータを取得する取得ステップと、
前記第１のデータから、前記記録再生装置の保守に関する第２のデータを生成する生成ステップと、
前記第２のデータを出力する出力ステップと
を含む情報処理方法。
【請求項１４】
記録再生装置と接続される情報処理装置のコンピュータに処理を実行させるプログラムであって、
前記記録再生装置の状態に関連する第１のデータを取得する取得ステップと、
前記第１のデータから、前記記録再生装置の保守に関する第２のデータを生成する生成ステップと、
前記第２のデータを出力する出力ステップと
を含む処理を前記情報処理装置のコンピュータに実行させる、コンピュータ読み取り可能なプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、記録再生装置、および、状態検出方法、情報処理装置、および、情報処理方法、並びに記録媒体に関し、例えば、ＭＤドライブなどのデータ記録再生装置において、保守データとなる様々なデータを測定し、保守データの解析に必要なパラメータを、ＭＤドライブに予め記録させておくことにより、半導体レーザの寿命を予測したり、トラブルの発生を検出することができるようにした、記録再生装置、および、状態検出方法、情報処理装置、および、情報処理方法、並びに記録媒体に関する。
【手続補正４】
【補正対象書類名】明細書
【補正対象項目名】０００８
【補正方法】変更
【補正の内容】
【０００８】
【課題を解決するための手段】
本発明の記録再生装置は、第１のデータを測定する測定手段と、異常状態であるか否かを判断するための第２のデータを記憶する第１の記憶手段と、第１のデータおよび第２のデータから、自分自身の保守に関する第３のデータを生成する生成手段と、第３のデータを出力する出力手段とを備える。
【手続補正５】
【補正対象書類名】明細書
【補正対象項目名】００１３
【補正方法】変更
【補正の内容】
【００１３】
本発明の状態検出方法は、第１のデータを測定する測定ステップと、異常状態であるか否かを判断するための第２のデータを記憶する記憶ステップと、第１のデータおよび第２のデータから、自分自身の保守に関する第３のデータを生成する生成ステップと、第３のデータを出力する出力ステップとを含む。
【手続補正６】
【補正対象書類名】明細書
【補正対象項目名】００１４
【補正方法】変更
【補正の内容】
【００１４】
本発明の第１の記録媒体に記録されているプログラムは、第１のデータを測定する測定ステップと、異常状態であるか否かを判断するための第２のデータを記憶する記憶ステップと、第１のデータおよび第２のデータから、自分自身の保守に関する第３のデータを生成する生成ステップと、第３のデータを出力する出力ステップとを含む。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
本発明の情報処理装置は、記録再生装置の状態に関連する第１のデータを取得する取得手段と、第１のデータから、記録再生装置の保守に関する第２のデータを生成する生成手段と、第２のデータを出力する出力手段とを備える。
【手続補正１５】
【補正対象書類名】明細書
【補正対象項目名】００２７
【補正方法】変更
【補正の内容】
【００２７】
本発明の情報処理方法は、記録再生装置の状態に関連する第１のデータを取得する取得ステップと、第１のデータから、記録再生装置の保守に関する第２のデータを生成する生成ステップと、第２のデータを出力する出力ステップとを含む。
【手続補正１６】
【補正対象書類名】明細書
【補正対象項目名】００２８
【補正方法】変更
【補正の内容】
【００２８】
本発明の第２の記録媒体に記録されているプログラムは、記録再生装置の状態に関連する第１のデータを取得する取得ステップと、第１のデータから、記録再生装置の保守に関する第２のデータを生成する生成ステップと、第２のデータを出力する出力ステップとを含む。
【手続補正１７】
【補正対象書類名】明細書
【補正対象項目名】００２９
【補正方法】変更
【補正の内容】
【００２９】
本発明の記録再生装置、状態検出方法、および第１の記録媒体に記録されているプログラムにおいては、第１のデータが測定され、異常状態であるか否かを判断するための第２のデータが記憶され、第１のデータおよび第２のデータから、自分自身の保守に関する第３のデータが生成され、第３のデータが出力される。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
本発明の情報処理装置、情報処理方法、および第２の記録媒体に記録されているプログラムにおいては、記録再生装置の状態に関連する第１のデータが取得され、第１のデータから、記録再生装置の保守に関する第２のデータが生成され、第２のデータが出力される。
【手続補正２０】
【補正対象書類名】明細書
【補正対象項目名】０１３９
【補正方法】変更
【補正の内容】
【０１３９】
【発明の効果】
本発明の記録再生装置、状態検出方法、および第１の記録媒体に記録されているプログラムによれば、例えば、ＭＤドライブなどにおいて、保守データとなる様々なデータを測定し、保守データの解析に必要なパラメータを、ＭＤドライブに予め記録させておくことにより、半導体レーザの寿命を予測したり、トラブルの発生を検出することができる。
【手続補正２１】
【補正対象書類名】明細書
【補正対象項目名】０１４０
【補正方法】削除
【補正の内容】
【手続補正２２】
【補正対象書類名】明細書
【補正対象項目名】０１４１
【補正方法】変更
【補正の内容】
【０１４１】
本発明の情報処理装置、情報処理方法、および第２の記録媒体に記録されているプログラムによれば、例えば、ＭＤドライブなどにおいて測定された保守データ、および保守データの解析に必要なパラメータを取得し、ＭＤドライブの半導体レーザの寿命を予測したり、トラブルの発生を検出することができる。